(57)【要約】      （修正有）【課題】列車に設置された通信機器と無線により通信する際に通信速度の低下を少なくすることができる通信装置を提供する。【解決手段】通信システム１００であって、データ配信装置１は、列車Ｔを構成する各車両ｔ１〜ｔ１０に設置された無線機ｗと、地上に設置された無線通信用アンテナＧ１〜Ｇ３を介して通信する。データ配信装置１は、無線機ｗから当該無線機ｗが設置された車両の車両番号を受信し、受信した車両番号に基づいて当該列車Ｔにおける最後尾の車両を検出する。そして、最後尾の車両を検出した後に、無線機ｗとデータ配信装置１との接続をリセットさせる。【選択図】図１
2019193155.tif 000002
【特許請求の範囲】
【請求項１】
列車を構成する各車両に設置され車両の車両番号情報を取得可能な通信機器と地上に設置された無線通信用アンテナを介して通信する通信装置であって、
前記通信機器から前記車両番号を受信する受信部と、
前記受信部が受信した前記車両番号に基づいて当該列車における最後尾の車両を検出する検出部と、
前記検出部が前記最後尾の車両を検出した後に前記通信機器と前記通信装置との接続をリセットさせる通信制御部と、
を備えていることを特徴とする通信装置。
【請求項２】
前記通信制御部は、前記通信機器に対して通信のリセットを示す信号を送信することを特徴とする請求項１に記載の通信装置。
【請求項３】
前記検出部は、前記最後尾の車両を示す前記車両番号が設定されていることを特徴とする請求項１または２に記載の通信装置。
【請求項４】
前記通信制御部は、前記検出部が前記最後尾の車両を検出してから前記列車が所定位置に停車するまでに要する時間が経過した後に前記通信のリセットを示す信号を送信することを特徴とする請求項２または３に記載の通信装置。
【請求項５】
前記通信制御部は、前記通信のリセットを示す信号を送信した後、前記通信機器と再接続された後に所定のコンテンツに関する情報を前記通信機器へ送信することを特徴とする請求項２から４のうちいずれか一項に記載の通信装置。
【請求項６】
列車を構成する各車両に設置され車両の車両番号情報を取得可能な通信機器と、前記通信機器と地上に設置された無線通信用アンテナを介して通信する通信装置と、を有する通信システムであって、
前記通信装置は、
前記通信機器から前記車両番号を受信する受信部と、
前記受信部が受信した前記車両番号に基づいて当該列車における最後尾の車両を検出する検出部と、
前記検出部が前記最後尾の車両を検出した後に前記通信機器と前記通信装置との接続をリセットさせる通信制御部と、
を備えていることを特徴とする通信システム。
【発明の詳細な説明】
【技術分野】
【０００１】
本発明は、鉄道車両等の列車との通信を行う通信装置及び通信システムに関する。
【背景技術】
【０００２】
近年、列車内に動画像等を表示可能な画像表示装置を設置して、乗車している乗客に向けて運行情報や広告等のコンテンツを表示させることが行われている。鉄道事業者等の列車運行者は列車内へ広告を流すことで広告料を徴収して新た収入源とすることができる。
【０００３】
このような広告等のコンテンツの更新については、例えば特許文献１に記載されているように、例えば駅や車庫などの地上の施設に設けられたサーバから無線通信によりコンテンツを列車に配信して更新することが行われている。
【先行技術文献】
【特許文献】
【０００４】
【特許文献１】特開２００９−１０５７８７号公報
【発明の概要】
【発明が解決しようとする課題】
【０００５】
特許文献１に記載したような地上の施設からの無線通信により列車内の機器に対してコンテンツを更新する際に、無線ＬＡＮ（Local Area Network）で使用されているＩＥＥＥ（Institute of Electrical and Electronics Engineers）８０２．１１規格による通信方式で行った場合以下のような問題がある。
【０００６】
図７は、１０両編成の列車Ｔが例えば車庫に入線する際の地上に設置された無線通信装置である地上局Ｇ１〜Ｇ３との接続状態を示した図である。地上局Ｇ１〜Ｇ３は、列車Ｔの入線方向から地上局Ｇ１、地上局Ｇ２、地上局Ｇ３の順に軌道（線路）に沿って設置されている。また、図７において、列車Ｔの各車両は、進行方向（矢印Ａ）に対して先頭の車両からｔ１、ｔ２、ｔ３、…、ｔ１０とし、各車両には、地上局Ｇ１〜Ｇ３と通信する無線器ｗが２つずつ設置されている。
【０００７】
図７（ａ）は、入線し始めの状態である。図７（ａ）では、先頭車両ｔ１及び２両目の車両ｔ２が地上局Ｇ１の通信範囲に含まれるため、先頭車両ｔ１の無線機ｗ及び２両目の車両ｔ２の無線機ｗは地上局Ｇ１と接続される。
【０００８】
次の図７（ｂ）は、図７（ａ）から列車Ｔが更に入線した状態である。図７（ｂ）では、先頭車両ｔ１は、地上局Ｇ１の通信範囲から外れ、地上局Ｇ２の通信範囲に含まれている。そのため、先頭車両ｔ１の無線機ｗは地上局Ｇ１との接続が切れた後に地上局Ｇ２と再接続される。また、２両目の車両ｔ２〜７両目の車両ｔ７までは、地上局Ｇ１の通信範囲に含まれているため、これらの車両の無線機ｗは地上局Ｇ２と接続される。但し、２両目の車両ｔ２の無線機ｗは、接続されている地上局Ｇ２と距離が離れているため、４両目の車両ｔ４〜７両目の車両ｔ７の無線機ｗと比較して電波強度等により通信速度が低下している（図中線を細く記載）。
【０００９】
そして図７（ｃ）は、列車Ｔの入線が完了し停車した状態である。図７（ｃ）では、先頭車両ｔ１〜４両目の車両ｔ４までの無線機ｗが地上局Ｇ２と接続され、５両目の車両ｔ５〜１０両面の車両ｔ１０の無線機ｗが地上局Ｇ１と接続されている。図７（ｃ）では、先頭車両ｔ１及び２両目の車両ｔ２の無線機ｗは、接続されている地上局Ｇ２と距離が離れているため、４両目の車両ｔ４の無線機ｗと比較して通信速度が低下している。同様に、５両目の車両ｔ５の無線機ｗは、接続されている地上局Ｇ３と距離が離れているため、７両目の車両ｔ７〜１０両目の車両ｔ１０の無線機ｗと比較して通信速度が低下している。
【００１０】
図７（ｃ）の状態では、全ての車両が地上局と無線により接続されているものの、通信速度が低い車両があるため、コンテンツの更新に時間がかかる車両が発生してしまう。
【００１１】
そこで、本発明は、列車に設置された通信機器と無線により通信する際に通信速度の低下を少なくすることができる通信装置を提供することを目的とする。
【課題を解決するための手段】
【００１２】
上記課題を解決するためになされた請求項１に記載された発明は、列車を構成する各車両に設置され車両の車両番号情報を取得可能な通信機器と地上に設置された無線通信用アンテナを介して通信する通信装置であって、前記通信機器から前記車両番号を受信する受信部と、前記受信部が受信した前記車両番号に基づいて当該列車における最後尾の車両を検出する検出部と、前記検出部が前記最後尾の車両を検出した後に前記通信機器と前記通信装置との接続をリセットさせる通信制御部と、を備えていることを特徴とする通信装置である。
【００１３】
請求項２に記載された発明は、請求項１に記載された発明において、前記通信制御部は、前記通信機器に対して通信のリセットを示す信号を送信することを特徴とするものである。
【００１４】
請求項３に記載された発明は、請求項１または２に記載された発明において、前記検出部は、前記最後尾の車両を示す車両番号が設定されていることを特徴とするものである。
【００１５】
請求項４に記載された発明は、請求項２または３に記載された発明において、前記通信制御部は、前記検出部が前記最後尾の車両を検出してから前記列車が所定位置に停車するまでに要する時間が経過した後に前記通信のリセットを示す信号を送信することを特徴とするものである。
【００１６】
請求項５に記載された発明は、請求項２から４のうちいずれか一項に記載された発明において、前記通信制御部は、前記通信のリセットを示す信号を送信した後、前記通信機器と再接続された後に所定のコンテンツに関する情報を前記通信機器へ送信することを特徴とするものである。
【００１７】
請求項６に記載された発明は、列車を構成する各車両に設置され車両の車両番号情報を取得可能な通信機器と、前記通信機器と地上に設置された無線通信用アンテナを介して通信する通信装置と、を有する通信システムであって、前記通信装置は、前記通信機器から前記車両番号を受信する受信部と、前記受信部が受信した前記車両番号に基づいて当該列車における最後尾の車両を検出する検出部と、前記検出部が前記最後尾の車両を検出した後に前記通信機器と前記通信装置との接続をリセットさせる通信制御部と、を備えていることを特徴とする通信システムである。
【発明の効果】
【００１８】
請求項１に記載の発明によれば、列車の最後尾の車両を検出後に無線通信を切断するため、列車の最後尾の車両を検出後に無線通信の接続をリセットすることができる。したがって、図７（ｃ）のような通信速度が低下した状態から通信を切断して接続し直すことができ、例えば図７の先頭車両ｔ１であれば、地上局Ｇ２よりも近くに位置する地上局Ｇ３と接続させることができる。
【００１９】
請求項２に記載の発明によれば、列車の最後尾の車両を検出後に通信装置側から無線通信の接続をリセットすることができる。したがって、通信機器側が最後尾の車両の検出等をする必要が無く、汎用の機器を使用することができる。
【００２０】
請求項３に記載の発明によれば、検出部は、最後尾の車両を示す車両番号が設定されているので、最後尾の車両の検出処理を簡易にすることができる。また、列車に設置された通信機器では、自身が最後尾であることを検出するための処理等を必要とせず、車両番号を送信するだけでよく、列車側の構成も簡易にすることができる。
【００２１】
請求項４に記載の発明によれば、通信制御部は、検出部が最後尾の車両を検出してから列車が所定位置に停車するまでに要する時間が経過した後に通信のリセットを示す信号を送信するので、列車が停止して各車両の通信機器と、地上に設置された地上局との位置関係が固定した状態で通信の再接続を行わせることができる。
【００２２】
請求項５に記載の発明によれば、通信制御部は、通信のリセットを示す信号を送信した後、通信機器と再接続された後に所定のコンテンツに関する情報を通信機器へ送信するので、再接続後の通信状態が改善した状態でコンテンツの送信をすることができる。したがって、遅い通信速度でのコンテンツの送信を防止することができる。
【００２３】
請求項６に記載の発明によれば、列車の最後尾の車両を検出後に無線通信を切断するため、列車の最後尾の車両を検出後に無線通信の接続をリセットすることができる。したがって、図７（ｃ）のような通信速度が低下した状態から通信を切断して接続し直すことができ、例えば図７の先頭車両ｔ１であれば、地上局Ｇ２よりも近くに位置する地上局Ｇ３と接続させることができる。
【図面の簡単な説明】
【００２４】
【図１】本発明の一実施形態にかかる通信装置を有する通信システムの概略構成図である。
【図２】図１に示されたデータ配信装置の機能構成図である。
【図３】図１に示された車両におけるシステム構成の概略構成図であるである。
【図４】図３に示された画像表示装置の機能構成図である。
【図５】図１に示された通信システムの動作のシーケンス図である。
【図６】列車が車庫に入線する際の列車に設置された無線機と地上に設置された地上局との接続状態を示した説明図である。
【図７】従来技術における列車Ｔに設置された無線機と地上に設置された地上局との接続状態を示した説明図である。
【発明を実施するための最良の形態】
【００２５】
以下、本発明の一実施形態を、図１〜図６を参照して説明する。図１は、本発明の一実施形態にかかる通信装置を有する通信システムの概略構成図である。
【００２６】
図１に示した通信システム１００は、通信装置としてのデータ配信装置１と、無線通信用のアンテナを有する地上局Ｇ１〜Ｇ３と、列車Ｔの各車両ｔ１〜ｔ１０に設置された通信機器としての無線機ｗと、を有している。
【００２７】
データ配信装置１は、所定の施設に設置されたサーバ装置（サーバコンピュータ）であって、不図示のデータ編集装置で編集された広告等の画像情報や当該画像情報の表示制御情報を含むコンテンツ情報が入力され、当該コンテンツ情報を地上局Ｇ１〜Ｇ３を介して列車Ｔの各車両ｔ１〜ｔ１０に設置された画像表示装置１０（図３を参照）に配信する。表示制御情報とは、例えば画像表示装置１０の車両内の設置位置、列車Ｔの現在位置、現在時刻あるいは列車種別等により表示内容を変化させるための制御情報である。
【００２８】
図２にデータ配信装置１の機能構成図を示す。データ配信装置１は、データ入力部２と、処理部３と、通信部４と、記憶部５と、を備えている。
【００２９】
データ入力部２は、データ配信装置１を構成するサーバ装置のネットワークインターフェースやＵＳＢ（Universal Serial Bus）インタフェース等が機能し、データ編集装置から前記したコンテンツ情報等が入力される。
【００３０】
検出部、通信制御部としての処理部３は、データ配信装置１を構成するサーバ装置のＣＰＵ（Central Processing Unit）が機能し、データ配信装置１の全体制御を司る。処理部３は、データ入力部２から入力されたコンテンツ情報を記憶部５に一旦蓄積させるとともに、各車両ｔ１〜ｔ１０に設置された無線機ｗと通信の接続制御およびコンテンツ情報の配信制御を行う。
【００３１】
受信部としての通信部４は、データ配信装置１を構成するサーバ装置のネットワークインターフェース等が機能し、通信制御を示すデータやコンテンツ情報を含むデータ等の送受信をする。
【００３２】
記憶部５は、データ配信装置１を構成するサーバ装置のハードディスク等の記憶装置が機能し、前記した画像情報等が蓄積されている。
【００３３】
地上局Ｇ１〜Ｇ３は、列車Ｔが入線する駅や車庫等の軌道（線路）に沿って設置されている。地上局Ｇ１〜Ｇ３は、地上局Ｇ１〜Ｇ３は、列車Ｔの入線方向（矢印Ａ）から地上局Ｇ１、地上局Ｇ２、地上局Ｇ３の順に設置されている。地上局Ｇ１〜Ｇ３は、データ配信装置１とは有線ＬＡＮ（Local Area Network）により接続されており、無線機ｗとは無線ＬＡＮにより接続可能となっている。つまり、地上局Ｇ１〜Ｇ３は、有線ＬＡＮで接続するためのネットワークインターフェースや無線ＬＡＮで接続する無線通信用アンテナ等を備えている。なお、地上局Ｇ１〜Ｇ３が備えるアンテナは地上に直接設置されるに限らない。例えば壁面等の地上に建設された構造物に取り付けられていてもよい。つまり、地上局Ｇ１〜Ｇ３が備えるアンテナが移動しなければよい。
【００３４】
なお、データ配信装置１と、地上局Ｇ１〜Ｇ３と、の間にはＨＵＢ装置（不図示）が設置され、データ配信装置１から送信されたデータを分配するとともに、地上局Ｇ１〜Ｇ３が受信したデータをデータ配信装置１へ送信している。
【００３５】
列車Ｔは、図１に示した構成では、車両ｔ１〜車両ｔ１０が連結されている１０両編成となっている。列車Ｔの車両数は１０両編成に限らず１両以上であればよい。そして、各車両ｔ１〜ｔ１０には、地上局Ｇ１〜Ｇ３と通信可能な無線機ｗが２つずつ設置されている。
【００３６】
無線機ｗは、地上局Ｇ１〜Ｇ３と無線ＬＡＮにより通信可能な通信機器である。無線機ｗは、設置され車両の車両番号情報が設定されている。また、無線機ｗは、図１に示したような車両の長手方向一方の端部に設けるに限らず、両端部に設けてもよい。また、１両に設けられる無線機ｗは、２つに限らず１つでもよいし、３つ以上であってもよい。また、無線機ｗの車両における設置位置は、地上局Ｇ１〜Ｇ３と通信可能な位置であれば特に限定されない。
【００３７】
図３は、車両ｔ１におけるシステム構成の概略構成図である。なお、車両ｔ２〜ｔ１０も同様の構成である。図３に示したように車両ｔ１には、無線機ｗと画像表示装置１０とが設けられている。
【００３８】
画像表示装置１０は、例えば車両ｔ１の客室内のドアの上部に設置されている。画像表示装置１０は、無線機ｗが受信したコンテンツ情報を内部の記憶媒体等に格納する。
【００３９】
画像表示装置１０の機能構成を図４に示す。図４に示したように、画像表示装置１０は、電源１１と、ＬＣＤ信号変換部１２と、ＬＣＤ画面１３と、画像表示制御部１４と、ＳＤカード１５と、を備えている。
【００４０】
電源１１は、外部（車両ｔ１）から例えば１００Ｖの直流電圧が入力され、例えば１２Ｖの直流電圧に変換後、ＬＣＤ信号変換部１２及び画像表示制御部１４等に出力して画像表示装置１０内に電源電圧を供給する。
【００４１】
ＬＣＤ信号変換部１２は、画像表示制御部１４と例えばＤＶＩ（Digital Visual Interface）により接続され、画像表示制御部１４がＳＤカード１５から読み出したコンテンツ情報の含まれる画像情報が入力される。また、ＬＣＤ信号変換部１２は、ＬＣＤ画面１３と例えばＬＶＤＳ（Low voltage differential signaling）により接続され、ＬＣＤ信号変換部１２に入力された画像情報をＬＶＤＳに規定された信号に変換してＬＣＤ画面１３に出力する。
【００４２】
ＬＣＤ画面１３は、液晶ディスプレイ（ＬＣＤ）により構成され、ＬＣＤ信号変換部１２から入力された信号に基づいて画像を表示する。即ち、画像情報を画像として表示する画像表示部として機能する。
【００４３】
画像表示制御部１４は、運行情報表示装置１１２と例えばＲＳ−４８５インタフェースにより接続されている。また、画像表示制御部１４は、ＳＤカード１５が着脱自在な図示しないスロットを有している。画像表示制御部１４は、前記したスロットに挿入されたＳＤカード１５に記憶されている画像情報を読み出す。そして、ＲＳ−４８５インタフェースから入力される運行情報に基づいてＬＣＤ画面１３に表示される画像情報をＳＤカード１５から読み出して、符号化されている場合は復号してＬＣＤ信号変換部１２に出力する。
【００４４】
ＳＤカード１５は、周知のように、カード状に形成され、不揮発性の半導体メモリを内蔵した読み書き自在の可搬型記憶媒体である。ＳＤカード１５には、データ配信装置１から配信されたコンテンツ情報等が記憶されている。なお、ＳＤカード１５には、予めデフォルトのコンテンツ情報等が記憶されていてもよい。なお、本実施形態では可搬型記憶媒体としてＳＤカード１５で説明するが、ＳＤカードに限らず、他の方式のメモリカードでもよいし、ＵＳＢメモリやハードディスクあるいは光ディスク等の可搬型記憶媒体であってもよい。また、可搬型記憶媒体でなく、画像表示制御部１４の内蔵メモリや画像表示装置１０内に別途設けたメモリ等にコンテンツ情報を格納してもよい。
【００４５】
次に、上述した構成の通信システム１００の動作について図５のシーケンス図を参照して説明する。
【００４６】
まず、データ配信装置１は、列車Ｔの各車両ｔ１〜ｔ１０に設置された無線機ｗを検出するためにポーリングの問い合わせデータを各無線機ｗへ送信する（ステップＳ１０１）。この問い合わせデータは、最後尾の車両を検出するまで定期的に送信する（ステップＳ１０１〜Ｓ１０５）。なお、図５ではポーリングの回数は５回であるが、５回に限らないことは言うまでもない。
【００４７】
一方、先頭車両ｔ１の無線機ｗでは、１回目のポーリング（ステップＳ１０１）では、まだ、列車Ｔの入線前であり地上局Ｇ１〜Ｇ３のいずれとも無線通信が接続されていないため、１回目のポーリングに対応する応答はしない。そして、時刻ｔｉ１で列車Ｔが例えば車庫等の地上局と通信可能な範囲に入線し始める。
【００４８】
２回目のポーリング（ステップＳ１０２）の際には列車Ｔは前記した通信可能範囲に入線し始めており、先頭車両ｔ１の無線機ｗは、例えば地上局Ｇ１と無線通信が接続されていたため、ポーリング応答をデータ配信装置１へ送信する（ステップＳ２０１）。以降、先頭車両ｔ１の無線機ｗはポーリングの問い合わせに対する応答をデータ配信装置１へ送信する（ステップＳ２０２〜Ｓ２０４）。このポーリング応答には無線機ｗの設置されている車両番号情報を含める。先頭車両であれば“１”が車両番号となる。この車両番号は、例えば無線機ｗの設置の際に予め設定すればよい。あるいは画像表示装置１０のＳＤカード１５等に設定して無線機ｗが取得してもよい。
【００４９】
この無線機ｗからのポーリング応答は、データ配信装置１の通信部４が受信して処理部３へ出力される。したがって、処理部３は、ポーリング応答に含まれる車両番号を取得することができる。
【００５０】
その後、時間が経過して列車Ｔの入線が進むと、２両目ｔ２以降の車両も順次地上局Ｇ１〜Ｇ３のいずれかと無線通信が接続されポーリング応答をデータ配信装置１へ送信する。そして、最後尾の車両である車両ｔ１０が例えば地上局Ｇ１と無線通信が接続されてポーリング応答をデータ配信装置１へ送信する（ステップＳ３０１）。
【００５１】
データ配信装置１では、通信部４が最後尾の車両ｔ１０からのポーリング応答を受信すると、処理部３そのポーリング応答に含まれる車両番号情報に含まれる車両番号“１０”から最後尾の車両であることを検出する（ステップＳ１０６）。データ配信装置１の処理部３には、最後尾を示す車両番号が予め設定されている。したがって、処理部３は、その最後尾を示す車両番号と、受信した車両番号と、を照合することで最後尾の車両であることを検出する。このように最後尾を示す車両番号が予め設定されているので、最も大きい車両番号“１０”だけでなく、最も小さい車両番号“１”が最後尾の場合も検出可能である。
【００５２】
次に、データ配信装置１では、処理部３は、最後尾の車両が検出された後に、少なくとも列車Ｔが所定位置（車庫における停車位置等）に停車する（時刻ｔｉ２）までウェイトする（ステップＳ１０７）。即ち、最後尾の車両ｔ１０を検出してから列車Ｔが所定位置に停車するまでに要する時間が経過するまで待機する。このウェイト時間は列車Ｔの進入速度や停車させる場所、１編成の長さ等に応じて適宜設定される。これらのパラメータ（進入速度、場所、長さ等）は既知の値であるので、ウェイト時間を予め設定することは可能である。
【００５３】
次に、データ配信装置１では、処理部３が通信部４に、列車Ｔの全ての無線機ｗに対して接続のリセットを要求する信号を送信する（ステップＳ１０９）。このリセットによって、無線機ｗでは、地上局Ｇ１〜Ｇ３との接続を一旦切断し、各無線機ｗの近くの地上局と再接続する。
【００５４】
次に、データ配信装置１では、通信部４がリセット要求を送信した後、所定時間ウェイトする。このウェイト時間は、ステップＳ１０９でリセットした無線機ｗの再接続が完了するまでの時間である。このウェイト時間は、無線機ｗや地上局Ｇ１〜Ｇ３の仕様等に応じて適宜設定される。本実施形態では、無線機ｗの再接続は、無線機ｗと地上局との間の動作でありデータ配信装置１が直接関与しないため所定時間ウェイトとしているが、例えば地上局から無線機ｗと接続した旨の情報が得られる場合は、当該情報の取得までウェイトすればよい。
【００５５】
そして、データ配信装置１は、無線機ｗ（画像表示装置１０）へコンテンツ情報の送信を開始する（ステップＳ１１０）。つまり、ＳＤカード１５等に記憶されているコンテンツ情報の更新を開始する。
【００５６】
上述したフローチャートに記載した動作の具体例を図６を参照して説明する。図６（ａ）〜（ｃ）は、既に説明した図７と同じである。図６では、最後尾の車両ｔ１０が検出されて列車Ｔが停車した状態の後に（図６（ｃ））、無線機ｗに対して接続のリセットを要求する信号を送信する。リセット要求が送信されると、それを受信した無線機ｗでは、現在接続されている地上局との接続を切断し、再度近くの地上局と接続をし直す。
【００５７】
なお、本実施形態ではリセット要求を送信しているが、再接続要求や無線機ｗの再起動要求等、無線機ｗが地上局との接続を一旦切断して接続し直すような信号（コマンド等も含む）であればよい。これらの信号を受信すると、無線機ｗは地上局との接続を切断し、再度近くの地上局との接続をし直す。このとき、無線機ｗは自身が行うスキャン等により検出された地上局と接続を確立する。
【００５８】
この無線機ｗに対して接続のリセットを要求する信号の送信によって、例えば、図６（ｃ）で先頭車両ｔ１、２両目の車両ｔ２、５両目の車両ｔ５の無線機ｗといった通信速度が低下した状態であった無線機ｗの接続状態がリセットされ、図６（ｄ）に示したように、リセット前より高速な通信速度で通信できるように地上局と接続される。一般的に、無線機ｗからの距離が近い地上局の方が、距離が遠い地上局よりも電波強度が強いため発見されやすい。したがって、図６の場合、例えば先頭車両ｔ１の無線機ｗは、地上局Ｇ２よりも近くに位置する地上局Ｇ１と接続される。
【００５９】
また、無線機ｗが、受信した電波の強度を検出することできる機能を有していれば、接続状態をリセットした後に、無線機ｗが電波強度の最も強い無線局を選択して接続するようにしてもよい。
【００６０】
本実施形態によれば、データ配信装置１は、列車Ｔを構成する各車両ｔ１〜ｔ１０に設置された無線機ｗと無線により通信する通信装置であって、通信部４が、無線機ｗから当該無線機ｗが設置された車両の車両番号を受信し、処理部３が、通信部４が受信した車両番号に基づいて当該列車Ｔにおける最後尾の車両を検出する。そして、処理部３が、最後尾の車両を検出した後に通信機器に対して接続のリセットを要求する信号を通信部４に送信させる。このようにすることにより、列車の最後尾の車両を検出後に無線通信をリセットすることができる。したがって、図６（ｃ）のような通信速度が低下した状態から通信を切断して接続し直すことができ、例えば図６の先頭車両ｔ１であれば、地上局Ｇ２よりも近くに位置する地上局Ｇ３と接続させることができる。
【００６１】
また、処理部３は、最後尾の車両ｔ１０を示す車両番号が設定されているので、最後尾の車両ｔ１０の検出処理を簡易にすることができる。また、列車Ｔに設置された無線機ｗでは、自身が最後尾であることを検出するための処理等を必要とせず、車両番号を送信するだけでよく、列車Ｔ側の構成も簡易にすることができる。
【００６２】
また、処理部３は、最後尾の車両ｔ１０を検出してから列車Ｔが所定位置に停車するまでに要する時間が経過した後に接続のリセットを要求する信号を通信部４に送信させるので、列車Ｔが停止して各車両の無線機ｗと、地上に設置された地上局Ｇ１〜Ｇ３との位置関係が固定した状態で通信の再接続を行わせることができる。
【００６３】
また、処理部３は、接続のリセットを要求する信号を送信した後、無線機ｗと再接続された後にコンテンツ情報を通信部４に送信させるので、再接続後の通信状態が改善した状態でコンテンツ情報の送信をすることができる。したがって、遅い通信速度でのコンテンツ情報の送信を防止することができる。
【００６４】
なお、上述した実施形態では、１編成当たりの車両数は固定であったが、データ配信装置１が編成毎の車両数をデータベースとして持つことで、最後尾の車両番号を特定することができる。この際には、ポーリング応答には、各編成を識別することができる情報を含めるようにする。
【００６５】
また、上述した実施形態では、データ配信装置１が接続のリセットを要求する信号を送信していたが、データ配信装置１が接続のリセットを要求によらず無線機ｗが接続を一旦切断して再接続するようにしてもよい。例えば、最後尾を検出したとの情報を無線機ｗに送信して、無線機ｗ側で接続を一旦切断して再接続してもよい。つまり、データ配信装置１は、最後尾の車両を検出した後に通信機器（無線機ｗ）と通信装置（データ配信装置１）との接続をリセットさせることができればよい。
【００６６】
また、上述した実施形態では、列車として、線路を走行する鉄道車両で説明したが、鉄道車両に限らない。例えば、モノレール、新交通システム、ケーブルカー、浮上式鉄道、トロリーバス等の予め定められた案内路を走行し、定められた停車場や車庫に停車するものも含むものである。
【００６７】
また、本発明は上記実施形態に限定されるものではない。即ち、当業者は、従来公知の知見に従い、本発明の骨子を逸脱しない範囲で種々変形して実施することができる。かかる変形によってもなお本発明の通信装置及び通信システムの構成を具備する限り、勿論、本発明の範疇に含まれるものである。
【符号の説明】
【００６８】
１                データ配信装置（通信装置）
２                データ入力部
３                処理部（検出部、通信制御部）
４                通信部（受信部）
５                記憶部
１００            通信システム
Ｔ                列車
ｔ１〜ｔ１０      車両
ｗ                無線機（通信機器）
【図１】
2019193155.tif 000003
【図２】
2019193155.tif 000004
【図３】
2019193155.tif 000005
【図４】
2019193155.tif 000006
【図５】
2019193155.tif 000007
【図６】
2019193155.tif 000008
【図７】
2019193155.tif 000009